(57)【要約】【課題】撮像素子やフィルムの直前に配置された地板の開口部周辺で磨耗紛を発生させないようにしたカメラ用フォーカルプレンシャッタを提供すること。【解決手段】シャッタ地板１側の羽根室に後羽根が配置され、補助地板３側の羽根室に先羽根が配置されている。補助地板３はカメラ内で撮像素子側に配置され、表面にパラジウムメッキを施した球面状凸部を有する突起部材１３を固着している。先羽根は、二つのアーム４，５に５枚の羽根６〜１０を枢支しており、少なくともスリット形成羽根１０の枢支用連結軸１１は、作動中に補助地板３の露光用の開口部３ａ内を移動し、その開口部３ａの縁に対応する位置に達する直前には、アーム４が突起部材１３に乗り上げて被写体側にそらされることにより、その連結軸１１の頭部が開口部３ａの縁に当接しないようになっている。従って、連結軸１１の頭部が開口部３ａの縁に当接し撮像素子の直前で磨耗紛を発生させることがない。【選択図】　図３
2004085941.tif 000002
【特許請求の範囲】
【請求項１】
略中央部に各々露光用の開口部を形成していて両者の間に羽根室を構成している二つの地板と、前記二つの地板のうちの一方の地板に枢着された複数のアームと該複数のアームに対し各々複数の連結軸を用いて枢支された少なくとも１枚の羽根とで構成されていて該連結軸の頭部が撮影者側に突き出るようにして前記羽根室内に配置されているシャッタ羽根と、を備えており、前記二つの地板のうち撮影者側に配置されている地板は、その被写体側の面に、少なくとも一つの金属メッキを施した凸部を有していて、該凸部は、前記シャッタ羽根の作動時において前記開口部内を移動している前記連結軸の頭部が前記開口部の縁に対応する位置に達する直前に、前記アームに摺接し該アームを被写体側にそらすようにしたことを特徴とするカメラ用フォーカルプレンシャッタ。
【請求項２】
前記凸部の金属メッキの表面硬度が、前記アームの表面硬度と略同じであることを特徴とする請求項１に記載のカメラ用フォーカルプレンシャッタ。
【請求項３】
前記凸部の金属メッキの材料はパラジウムであり、前記アームは、炭素工具鋼をアルカリ溶液に浸漬し黒色酸化皮膜を形成した後にクロメート処理を施されているか、チタンを窒化処理されていることを特徴とする請求項２に記載のカメラ用フォーカルプレンシャッタ。
【請求項４】
前記凸部が、前記撮影者側の前記地板に取り付けられた別部材に対し、被写体側の面が球面となるようにして形成された部位であることを特徴とする請求項１乃至３の何れかに記載のカメラ用フォーカルプレンシャッタ。
【請求項５】
前記撮影者側の前記地板が合成樹脂製であって、前記凸部は、被写体側の面が球面となるようにして一体成形された部位であることを特徴とする請求項１乃至３の何れかに記載のカメラ用フォーカルプレンシャッタ。
【請求項６】
前記二つの地板が中間板によって仕切られており、該中間板と撮影者側の前記地板との間には前記シャッタ羽根が配置されており、該中間板と被写体側の前記地板との間には、前記一方の地板に枢着された複数のアームに対して各々連結軸を用いて少なくとも１枚の羽根を枢支したもう一つのシャッタ羽根が配置されていることを特徴とする請求項１乃至５の何れかに記載のカメラ用フォーカルプレンシャッタ。
【発明の詳細な説明】
【０００１】
【発明の属する技術分野】
本発明は、一つ又は二つのシャッタ羽根を有していて、各々のシャッタ羽根が、一端を地板に枢着された複数のアームと、それらに枢支された１枚以上の羽根とで構成されているカメラ用フォーカルプレンシャッタに関する。
【０００２】
【従来の技術】
最近のフォーカルプレンシャッタの中には、シャッタ地板，中間板，補助地板と称されている３枚の板部材の間に二つの羽根室を構成し、それらの羽根室内に、先羽根（群），後羽根（群）と称されている二つのシャッタ羽根を個別に配置したものがあり、このようなフォーカルプレンシャッタはデジタルスチルカメラにも銀塩カメラにも採用されている。また、デジタルスチルカメラにのみ採用されているものとしては、上記のシャッタ地板と補助地板との間に構成された羽根室に、一つのシャッタ羽根を配置しただけのものが知られている。
【０００３】
そして、上記のいずれのタイプのフォーカルプレンシャッタであっても、各シャッタ羽根の基本構成は同じであって、一端をシャッタ地板に枢着された二つのアーム（三つのものも提案されている）に対し、１枚以上（通常は複数枚）の羽根を枢支することにより、平行リンク機構を構成しているのが普通である。また、二つのシャッタ羽根を備えたタイプのものは、各アームの最も先端側に枢支された羽根をスリット形成羽根としている。そして、各々のアームに対する各羽根の枢支構成は同じであり、アームに形成された孔と、羽根に形成された孔とを重ね、リベット部品である連結軸の先端をそれらの孔にアーム側から挿入し、その先端を、かしめ加工によって羽根に固着している。
【０００４】
そのため、羽根と一体化された連結軸とアームとは、相互に回転可能状態になっているが、各々の羽根は、二つのアームに枢支されているため、アームが作動されたときにだけ、枢支部において相対的な回転が行われるようになっている。また、上記のかしめ部は、羽根の形状を工夫することによって、羽根の摺動面（アームに対向する面とは反対側の面）から突き出ないようにされているが、連結軸の頭部は、アームから突き出た状態になっている。尚、このような枢支部の構成は周知であって、特開平７−３３３６８４号公報にも記載されているが、その公報においては、上記の補助地板をカバー板と称している。
【０００５】
そして、シャッタ羽根を二つ備えたフォーカルプレンシャッタの場合には、各羽根室内において各々の羽根の摺動面を中間板に向けて配置されるので、一方のシャッタ羽根のアームは羽根よりもシャッタ地板側に配置され、他方のシャッタ羽根のアームは羽根よりも補助地板側に配置されている。即ち、一方のシャッタ羽根は、全ての連結軸の頭部を、アームからシャッタ地板側に突き出し、他方のシャッタ羽根は、全ての連結軸の頭部を、アームから補助地板側に突き出していることになる。
【０００６】
そのため、この種のシャッタをカメラに取り付けた場合には、シャッタ地板と補助地板のどちらを被写体側にして取り付けても、必ずいずれか一方のシャッタ羽根が、連結軸の頭部を撮影者側（即ち撮像素子やフィルム側）に配置された地板に向けて突き出していることになる。他方、シャッタ羽根を一つだけしか備えていないフォーカルプレンシャッタの場合には、カメラに対して、連結軸の頭部を被写体側にして取り付けることもできるが、カメラ内でのシャッタの組み込みスペース等の関係から、撮影者側にして取り付けるようにしたい場合もある。
【０００７】
また、羽根室を構成する上記のシャッタ地板，中間板，補助地板には、略中央部に露光用の開口部が形成されていて、それらの開口部の一つ又は複数によって被写体光の露光開口（光路枠）が決められるようになっているが、上記のいずれのタイプのものであっても、通常は、シャッタユニットの全体構成を小型化する必要性から、少なくともアームの最も先端側の枢支部は、シャッタ羽根が作動するに際し、上記の開口部外から開口部内に進入したり、開口部内から開口部外へ退いたりするように構成されている。
【０００８】
ところで、デジタルスチルカメラの場合のみならず銀塩カメラの場合でも、撮像素子の撮像面やフィルムの感光面にゴミや埃が付着すると良好な被写体画像を得ることができない。しかしながら、ゴミや埃といっても、通常、カメラ内で発生するものは、殆ど目視が困難なほど微細なものが多い。また、外部からカメラ内に進入するものも微細なものが多いが、中には大きなものがある。そして、これまでの銀塩カメラの場合には、比較的大きなものが進入してフィルムの感光面に付着しても、問題となるのはそのフィルムコマだけであったため、問題視する人が少なかった。ところが、後記するデジタルスチルカメラでの問題を知ってからは、最近ではその点を問題視する人が多くなってきている。
【０００９】
他方、デジタルスチルカメラの場合には、ゴミや埃がかなり微細であっても問題となる。即ち、ゴミや埃が微細であれば、最初は問題視するほどではないが、そのうちに、撮像面やその前面のフィルタなどに積み重なって付着していくため、徐々に撮影画像の全てにその影響が大きく現れてきてしまうようになる。そのため、デジタルスチルカメラの場合には、どのような微細なゴミや埃に対しても、何らかの対策を講じておく必要がある。そこで、カメラ本体側の対策も勿論であるが、フォーカルプレンシャッタの製作に際しても、構成上において、可能な限りの対策を講じることが要求されており、これまでにも、多くの提案がなされている。
【００１０】
そこで、フォーカルプレンシャッタが、その作動によって発生させる微細な磨耗紛について考えてみる。一般に、フォーカルプレンシャッタは、その作動に際して、摺接部や当接部から極めて微細な磨耗紛を発生させることが知られているが、それらの磨耗紛を完全に発生させないようにすることは至難である。そして、摺接部から発生する磨耗紛よりも、当接部から発生する磨耗紛の方が大きく且つ多い。そのため、主に当接部での発生を全く無くすか極力少なくなるようにする必要がある。また、そのようにする場合であっても、先ずは、撮像素子やフィルムに飛来し易い箇所での対策を優先させるのが有利である。従って、上記のシャッタ地板と補助地板のうち、撮影者側に配置された地板の開口部近傍における対策が最も重要になる。
【００１１】
このような観点から、上記したフォーカルプレンシャッタの構成を見てみると、アームに対して羽根を枢支するために用いられている連結軸の頭部が、カメラに組み込まれた状態で、アームから撮影者側の地板に向けて突き出るように構成されているので、シャッタ羽根の作動中において開口部内を移動する連結軸の頭部が、撮影者側の地板の開口部の縁に当接し（この当接が生じる理由は周知であるが、上記の公報にも記載されている）、磨耗紛を発生させることが一番問題となる。そのため、特開平９−１６００９１号公報に記載されているように、アーム側か地板側に凸部を設けて、連結軸の頭部が上記の開口縁に当接しないように構成にすることが考えられている。
【００１２】
【発明が解決しようとする課題】
ところで、上記のアームは、露光作動停止時における激しいショックに耐え得るようにするためと、軽量にし高速化を図るために、ＪＩＳで規定する炭素工具鋼（ＳＫ４）を熱処理したものを、アルカリ溶液に浸漬して黒色の酸化皮膜を形成した後、クロメート処理を施したものや、ＪＩＳで規定する第２種の純チタンを窒化処理した後、黒色塗装を施したものが使用されている。そのため、上記の特開平９−１６００９１号公報に記載されているような凸部をアーム側に設けるとすると、シャッタ羽根の重量が増し、露光作動の高速化を図るうえで不利になってしまうという問題点が生じる。
【００１３】
また、上記の地板（シャッタ地板，補助地板）としては、シャッタユニット全体の軽量化を図るために、最近では、アームよりも軟質のアルミニウム材や合成樹脂材が多く使用されるようになっている。そのため、上記の凸部を、そのような地板に、打ち出し加工や同時成形加工で設けると、比較的硬質な薄い板材で製作されているアームが、その凸部に対して当接し摺接することになって、凸部の表面を削り磨耗紛を発生させてしまうという問題点が生じる。
【００１４】
本発明は、このような問題点を解決するためになされたものであり、その目的とするところは、カメラに組み込まれた状態において、アームに対する羽根の枢支用連結軸の頭部が、アームから撮影者側の地板に向けて突き出ているように構成されていても、シャッタ羽根の作動中において開口部内を移動している連結軸の頭部が、該開口部の縁に当接してしまうことがなく、しかも、そのようにするために上記の地板に設けられた凸部に対しアームが当接・摺接しても、磨耗紛を発生させないようにしたカメラ用フォーカルプレンシャッタを提供することである。
【００１５】
【課題を解決するための手段】
上記の目的を達成するために、本発明のデジタルスチルカメラ用フォーカルプレンシャッタは、略中央部に各々露光用の開口部を形成していて両者の間に羽根室を構成している二つの地板と、前記二つの地板のうちの一方の地板に枢着された複数のアームと該複数のアームに対し各々複数の連結軸を用いて枢支された少なくとも１枚の羽根とで構成されていて該連結軸の頭部が撮影者側に突き出るようにして前記羽根室内に配置されているシャッタ羽根と、を備えており、前記二つの地板のうち撮影者側に配置されている地板は、その被写体側の面に、少なくとも一つの金属メッキを施した凸部を有していて、該凸部は、前記シャッタ羽根の作動時において前記開口部内を移動している前記連結軸の頭部が前記開口部の縁に対応する位置に達する直前に、前記アームに摺接し該アームを被写体側にそらすようにする。
【００１６】
その場合、前記凸部の金属メッキの表面硬度が、前記アームの表面硬度と略同じであるようにすることが好ましく、特に、前記凸部の金属メッキの材料はパラジウムであり、前記アームは、炭素工具鋼をアルカリ溶液に浸漬し黒色酸化皮膜を形成した後にクロメート処理を施されているか、チタンを窒化処理されているようにすると最適なものとなる。
【００１７】
また、本発明は、前記凸部が、前記撮像素子側の前記地板に取り付けられた別部材に対し、被写体側の面が球面となるようにして形成された部位であるように構成してもよいし、また、前記撮像素子側の前記地板が合成樹脂製であって、前記凸部は、被写体側の面が球面となるようにして一体成形された部位であるように構成してもよい。
【００１８】
更に、本発明は、前記二つの地板が中間板によって仕切られており、該中間板と撮影者側の前記地板との間には前記シャッタ羽根が配置されており、該中間板と被写体側の前記地板との間には、前記一方の地板に枢着された複数のアームに対して各々連結軸を用いて少なくとも１枚の羽根を枢支したもう一つのシャッタ羽根が配置されているように構成してもよい。
【００１９】
【発明の実施の形態】
本発明の実施の形態を、図示した実施例によって説明するが、図１，図２，図４〜図６は、いずれも、被写体側から見た実施例の平面図であって、図１は先羽根のセット状態を示したものであり、図２は先羽根の露光作動における前半の途中の状態を示したものであり、図４は先羽根の露光作動における後半の途中の状態を示したものであり、図５は先羽根の露光作動の最終段階の状態を示したものであり、図６は先羽根の露光作動の終了直後の状態を示したものである。また、図３は図２の要部断面図である。尚、本実施例は、デジタルスチルカメラにも銀縁カメラにも採用することの可能な、先羽根と後羽根とを備えたフォーカルプレンシャッタであるが、デジタルスチルカメラに採用される場合で説明することにする。また、周知のように、先羽根と後羽根とは、配置関係こそ違うが、発明上では実質的に同じ構成とみなすことができるので、上記の各図においては、図面を見易くするために、後羽根の図示を省略してある。
【００２０】
先ず、本実施例の構成を、主に図１及び図３を用いて説明する。図１において、シャッタ地板１は、その略中央部に長方形を横長にした開口部１ａを形成している。また、図３にも示しているように、シャッタ地板１の背面側には、所定の間隔を空けて、中間板２と補助地板３が順に取り付けられており、シャッタ地板１と中間板２との間に後羽根の羽根室を形成し、中間板２と補助地板３との間に先羽根の羽根室を形成している。そして、中間板２と補助地板３にも、略中央部に開口部２ａ，３ａが形成されていて、開口部１ａと重ね合わせるようにして配置されているが、本実施例においては開口部１ａ，３ａが全く同じ形状をしていて、シャッタユニットとしての露光開口を規制している。
【００２１】
従って、本実施例の場合には、ＣＣＤ等の撮像素子は、図１において、補助地板３の背面側に配置され、撮像面を開口部３ａに臨ませていることになる。尚、本実施例のフォーカルプレンシャッタは、銀塩カメラに取り付ける場合、シャッタ地板１の羽根室外の面に取り付けられている開閉駆動機構等が邪魔になり、シャッタ地板１を撮影者側にして配置することができないが、デジタルスチルカメラに採用するときは、そのようにして配置することが可能であるため、その場合には、撮像素子は、シャッタ地板１の背面側に配置され、撮像面を開口部１ａに臨ませることになる。
【００２２】
図１において、開口部１ａの左側には、円弧状の二つの長孔１ｂ，１ｃが形成されている。そして、それらの下方端部には、通常、平面形状が略Ｃ字状をしているゴム製の緩衝部材（周知のように、駆動部材を制動しつつ停止させるストッパの役目をする）が取り付けられているが、その図示は省略されている。また、シャッタ地板１に立設された軸１ｄ，１ｅは金属製であって、シャッタ地板１に形成された孔に圧入され且つかしめられており、被写体側だけではなく、図１において破線で示したように、また、図３に示した軸１ｄから分かるように、羽根室側にも細い軸部を有している。更に、シャッタ地板１の羽根室側には、軸１ｆ，１ｇが立設されている。
【００２３】
また、周知であるため図示していないが、シャッタ地板１の被写体側において、先羽根用駆動部材と後羽根用駆動部材とが、軸１ｄ，１ｅに回転可能に取り付けられている。そして、それらの駆動部材は、露光作動時には図示していない先羽根用駆動ばね，後羽根用駆動ばねの付勢力によって時計方向へ回転させられ、セット時には図示していないセット部材によってそれらの駆動ばねの付勢力に抗して反時計方向へ回転させられるようになっている。また、先羽根用駆動部材と後羽根用駆動部材は夫々駆動ピンを備えているが、それらの駆動ピンは長孔１ｂ，１ｃを貫通して羽根室側に突き出ていて、夫々、先羽根と後羽根に連結されている。
【００２４】
次に、中間板２と補助地板３との間の羽根室に配置されている先羽根の構成を説明する。先羽根は、二つのアーム４，５と、それらの長さ方向に順に枢支された５枚の羽根６，７，８，９，１０とで構成され、最も先端側に枢支されている羽根１０がスリット形成羽根となっている。そして、アーム４は、軸１ｄに枢着（回転可能に嵌合）されていて、孔４ａには、上記した図示していない先羽根用駆動部材の駆動ピンが嵌合している。他方、アーム５は、軸１ｆに対して枢着されている。
【００２５】
また、図３から分かるように、本実施例の先羽根は、アーム４，５が、最も補助地板３側に配置されており、中間板２側に向けて羽根１０，羽根９，羽根８，羽根７，羽根６の順に配置されている。そこで、次に、アーム４，５に対する各羽根６〜１０の枢支構成を説明するが、各枢支部における連結構成は全て同じであって、同じ形状をした連結軸１１を用いている。そのため、それらを代表して、スリット形成羽根１０についての二つの枢支部のうち、アーム４との枢支部の場合を例にして、その枢支構成を説明する。尚、図１，図２，図４〜図６においては、図面を煩雑にしないため、スリット形成羽根１０を枢支するために用いている二つの連結軸にのみ符号を付けてある。
【００２６】
先ず、アーム４と羽根１０には、連結箇所に予め孔が形成されている。そこで、それらの孔を重ねておき、リベット部品である連結軸１１の先端をアーム４側から挿入し、その先端を、かしめ加工によって羽根１０に固着している。しかし、アーム４は連結軸１１に対し一体化されていない。その理由は、図３では分かりにくいが、特開平７−３２５３３４号公報等で知られているように、連結軸１１の軸部が２段に形成されているからである。従って、羽根１０と一体化された連結軸１１とアーム４とは相互に回転可能状態に構成されている。そして、図３からも分かるように、実際には、上記のかしめ部は、羽根１０の摺動面（羽根９に摺接する面）から突き出ないようにされているが、連結軸１１の頭部は、アーム４から補助地板３側に突き出た状態になっている。
【００２７】
他方、シャッタ地板１と中間板２との間に配置されている後羽根は、上記したように、図示を省略されているが、図１において、先羽根を下から上へ回転させ、裏返した状態にして配置されている。そのため、後羽根の場合も、二つのアームと、それらの長さ方向に順に枢支された５枚の羽根で構成されていて、二つのアームの最も先端側に枢支されている羽根がスリット形成羽根となっている。そして、一方のアームは、軸１ｅに対して枢着されていて、それに形成されている孔には、図示していない後羽根用駆動部材の駆動ピンが嵌合している。また、他方のアームは、軸１ｇに対して枢着されている。また、この後羽根の場合は、二つのアームが、５枚の羽根よりもシャッタ地板１側に配置されており、各羽根の枢支用連結軸の頭部は、各アームからシャッタ地板１側に突き出ている。
【００２８】
そして、本実施例の場合は、図１に示したように、夫々異なる位置において、三つの突起部材１２，１３，１４が、補助地板３の被写体側の面、即ち先羽根の羽根室側の面に取り付けられている。また、それらの突起部材１２，１３，１４は、同じ形状，同じ取り付けられ方をしていて、図３に示されている突起部材１４のように、羽根室側の面が球面状に形成された凸部を有していて、補助地板３に対し、かしめ加工によって固定されている。そして、本実施例においては、補助地板３がアルミ系の材料で製作されており、また、突起部材１２，１３，１４は鋼材で製作したうえ少なくともその球面にパラジュームメッキを施してある。しかし、補助地板３を合成樹脂材料で製作する場合には、本実施例の突起部材１２，１３，１４の凸部に相当する部位を同時一体成形によって形成し、その表面にパラジウムメッキを施すようにしても差し支えない。
【００２９】
次に、本実施例の作動を説明する。図１は、セット状態を示している。従って、図示していない先羽根用駆動部材と後羽根用駆動部材は、夫々の駆動ばねの付勢力に抗してセット位置に保持されている。そのため、先羽根用駆動部材に連結されている先羽根は、５枚の羽根６〜１０を展開状態にして露光開口（開口部１ａ，３ａ）を覆っており、後羽根用駆動部材に連結されている図示していない後羽根は、５枚の羽根を重畳状態にして、露光開口の上方位置に格納している。そして、このとき、先羽根のアーム５は、突起部材１２の球面状凸部に乗り上げ、被写体側に押されているので、羽根１０との枢支部に用いられている連結軸１１の頭部は、その一部が図１において補助地板３と重なっているが、補助地板３の羽根室側の面には接触していない。また、アーム４も、突起部材１３の球面状凸部に乗り上げているので、羽根９との枢支部に用いられている連結軸１１の頭部は、その一部が図１において補助地板３と重なっているが、補助地板３の羽根室側の面には接触していない。
【００３０】
この図１の状態においてカメラのレリーズボタンが押されると、最初に先羽根用駆動部材の保持力が解除され、所定時間後に後羽根用駆動部材の保持力が解除される。それによって、先羽根の５枚の羽根６〜１０は重畳されつつ下方へ作動し、図示していない後羽根の５枚の羽根は展開されつつ下方へ作動して、先羽根のスリット形成羽根１０のスリット形成縁（上側の縁）と後羽根のスリット形成羽根のスリット形成縁（図示していないが下側の縁）との間に形成されるスリットにより、撮像素子の撮像面を連続的に露光していく。
【００３１】
しかしながら、このときに、各アームは、それらが枢着されている軸を中心にして単純に時計方向へ回転するだけではなく、各アームの先端部が開口部内を作動していることなどから、その先端部を光軸に沿った方向へ複雑に振動させながら回転していく。そのため、何らかの対策を講じていないと、先羽根の場合には、露光開口中を移動している枢支用連結軸１１が露光開口から退くとき、それらの頭部が、補助地板３の開口部３ａの縁に当接して磨耗紛を発生させることになるし、後羽根の場合には、枢支用連結軸の頭部が、シャッタ地板１の開口部１ａの縁に当接して磨耗紛を発生させることになる。
【００３２】
ところが、本実施例の先羽根の場合は、先羽根の枢支用連結軸１１が露光開口から退くとき、それらの頭部が、補助地板３の開口部３ａの縁に当接しないようになっている。即ち、図２は、先羽根の露光作動における途中状態を示したものであるが、アーム４と羽根９とを連結している連結軸１１が、まさに露光開口の外へ退く寸前の状態を示したものであるが、このときには既に、アーム４は、図３に示されているように、突起部材１４の球面状凸部に乗り上げ、上記の連結軸１１の頭部が補助地板３の羽根室側の面に接し得ない状態になっているからである。そのため、開口部３ａの縁に当接して磨耗紛を発生させることが全くない。
【００３３】
そして、その直後には、図４に示された状態になる。この図４は、アーム４とスリット形成羽根１０とを連結している連結軸１１が、まさに露光開口の外へ退く寸前であって、他方のアーム５と羽根９とを連結している連結軸１１が、まさに露光開口の外へ退く寸前の状態を示したものである。しかしながら、このときには、未だアーム４は、突起部材１４の球面状凸部に乗り上げたままである。また、アーム５は、既に突起部材１３の球面状凸部に乗り上げた状態となっている。そのため、両方の連結軸１１の頭部は、補助地板３の羽根室側の面に当接することなく作動を続けるので、開口部３ａの縁に当接して磨耗紛を発生させることは全くない。
【００３４】
その後、アーム４，５が、図４の状態から、さらに時計方向へ回転すると、アーム４は突起部材１４と離れ、スリット形成羽根１０の枢支用連結軸１１の頭部が補助地板３の羽根室側の面に摺接するようになるが、それに代わって、今度は、アーム５が突起部材１４の球面状凸部に乗り上げていく。その過程で磨耗紛を発生させないことは、上記のアーム４と突起部材１３の場合と同様である。そして、その乗り上げた状態が図５に示されている。このとき、アーム５とスリット形成羽根１０とを連結している連結軸１１が、まさに露光開口の外へ退く寸前の状態にあるが、その連結軸１１の頭部は、既に上記と同様に、補助地板３の羽根室側の面に接し得ない状態になっている。そのため、開口部３ａの縁に当接して磨耗紛を発生させることが全くない。その後、先羽根用駆動部材の時計方向の回転が、その駆動ピンが長孔１ｂの下方端に取り付けられた図示していない緩衝部材に当接して停止すると、先羽根の露光作動も停止する。図６は、その停止状態を示している。
【００３５】
このように、本実施例においては、上記の連結軸１１の頭部は開口部３ａの縁には当接しなくなっているが、その代わりに、アーム４，５が露光作動中に突起部材１３，１４に対し当接し摺接することになる。しかしながら、本実施例は、その場合にも磨耗紛を発生させないようになっている。即ち、通常の場合、アーム４，５としては、既に説明したように、炭素工具鋼（ＳＫ４）を熱処理したものを、アルカリ溶液に浸漬して黒色の酸化皮膜を形成した後、クロメート処理を施したものや、第２種の純チタンを窒化処理した後、黒色塗装を施したものが使用されている。その場合の表面硬度は、ビッカース硬度で、前者の場合が５００〜５５０Ｈｖ、後者の場合が５００〜６００Ｈｖである。
【００３６】
それに対して、突起部材１２，１３１４の球面状凸部には、表面にパラジウムメッキが施されていて、表面のビッカース硬度は４５０〜５５０Ｈｖとなっている。そのため、アーム４，５の当接・摺接によっても磨耗紛を発生させることはない。尚、同程度の表面硬度が得られるのであれば、パラジウムメッキに限ることはなく、他の金属メッキでも差し支えない。また、アーム４，５が、チタンを窒化処理して製作されている場合は、少なくとも球面状凸部との摺接面には、黒色塗装を施す必要はない。
【００３７】
他方、図示していない後羽根は、上記したように、先羽根よりも遅れて露光作動を開始している。また、上記したように、後羽根は、シャッタ地板１と中間板２との間に、先羽根を裏返した状態で配置されているため、各連結軸の頭部は、シャッタ地板１側に突き出ていることになる。そして、後羽根は、露光作動終了時には５枚の羽根が展開状態となって露光開口を完全に覆った状態になる。そのため、後羽根の場合には、露光作動時において、頭部がシャッタ地板１の開口部１ａの縁に当接する可能性のある連結軸は、軸１ｇに枢着されているアームにスリット形成羽根を枢支している連結軸と、軸１ｇに枢着されているアームにスリット形成羽根に隣接する羽根を枢支している連結軸と、軸１ｅに枢着されているアームにスリット形成羽根に隣接する羽根を枢支している連結軸の三つである。
【００３８】
ところで、軸１ｇに枢着されているアームと、各羽根との連結関係は、先羽根におけるアーム５と各羽根６〜１０との連結関係と同じであり、軸１ｆに枢着されているアームと、各羽根との連結関係は、先羽根におけるアーム４と各羽根６〜１０との連結関係と同じである。従って、軸１ｇに枢着されているアームとスリット形成羽根との連結関係は、アーム５とスリット形成羽根１０との関係を見れば分かるように、スリット形成羽根のスリット形成縁と連結軸の頭部との間に、アームの先端がスリット形成縁から出ないようにするために、若干の距離が設けられている。そのため、上記の後羽根の三つの連結軸の頭部が開口部１ａの縁に当接したときには、いずれの場合にも、その当接箇所の撮像素子側には、常にスリット形成羽根などの羽根が存在していることになる。従って、それらの当接によって磨耗紛が発生しても、それらの磨耗紛が直接撮像素子に向けて飛来する心配はない。
【００３９】
しかしながら、磨耗紛を発生させてしまうことは、害となることはあっても決して益とはならない。いずれ、それらの磨耗紛が、種々の状況下で、種々のルートを辿って、最終的に撮像素子に飛来してくることもあるからである。そのため、後羽根にも、連結軸の頭部が開口部１ａの縁に当接しないように対策を講じておきたい場合があるが、そのような場合には、補助地板３に取り付けてある突起部材１２，１３，１４に相当する突起部材を、シャッタ地板１の対応位置に取り付けておけばよいことになる。
【００４０】
このようにして、先羽根と後羽根による露光作動が終了すると、図示していないセット部材によって、セット作動が行われる。セット部材は、先ず、軸１ｄに取り付けられている先羽根用駆動部材を、先羽根用駆動ばねの付勢力に抗して、反時計方向へ回転させる。そのため、図６の重畳状態にある先羽根のアーム４が反時計方向へ回転させられ、５枚の羽根６〜１０は、隣接する羽根同士の重なり量を小さくしつつ上方へ移動していく。他方、この段階では、未だ、後羽根の５枚の羽根は、停止したままであって、露光開口を閉鎖した状態にある。
【００４１】
その後、先羽根のスリット形成羽根１０と後羽根のスリット形成羽根の重なり量が所定量になると、セット部材は、軸１ｅに取り付けられている後羽根用駆動部材も、後羽根用駆動ばねの付勢力に抗して、反時計方向へ回転させる。そのため、展開状態にある図示していない後羽根の５枚の羽根は、隣接する羽根同士の重なり量を大きくしつつ上方へ移動していく。このようにして、先羽根の５枚の羽根６〜１０が図１に示された状態になり、図示していない後羽根の５枚の羽根が重畳状態となって開口部１ａの上方位置に格納されると、セット部材によるセット作動が終了する。そして、そのセット作動の最終段階においては、先羽根のアーム４，５が、補助地板３に取り付けられている突起部材１３，１２の球面状凸部に乗り上げ、中間板２側にそらされるので、連結軸１１の頭部が開口部３ａの縁に当接し、磨耗紛を発生させるようなことがない。
【００４２】
他方、図示していない後羽根の連結軸の頭部も、セット作動の最終段階において、次々とシャッタ地板１の開口部１ａの縁に当接することになるが、それらの当接によって発生した磨耗紛は、先羽根の５枚の羽根６〜１０によって阻止されるので、直接、撮像素子には飛来しない。
【００４３】
尚、実施例においては、先羽根と後羽根が、露光作動時において、上方から下方へ作動するように構成されているが、本発明は、下方から上方へ作動するように構成したものにも適用できることは言うまでもなく、その場合には、補助地板３に対する突起部材１２，１３，１４の取付位置が変わるだけである。また、実施例においては、シャッタ地板１と中間板２の間に後羽根が配置され、中間板２と補助地板３の間に先羽根が配置されているが、本発明は、シャッタ地板１と中間板２の間に先羽根が配置され、中間板２と補助地板３の間に後羽根が配置されたものにも適用することができる。その場合にも、補助地板３に対する突起部材１２，１３，１４の取付位置は変わることになるが、その取付位置は、具体的に示すまでもなく、上記の説明から容易に理解できることである。更に、実施例においては三つの突起部材１２，１３，１４を設けているが、それに代わる別の対策がなされていれば、それらの全てを設ける必要はない。
【００４４】
また、デジタルスチルカメラの場合には、銀塩カメラの場合よりも、フォーカルプレンシャッタの組み付け方に制約を受けないから、図１の下側を上側にしてカメラに組み付けてもよいことは勿論のこと、シャッタ地板１を撮影者側にして組み付けることもある。従って、シャッタ地板１を撮影者側にして組付ける場合には、突起部材１２，１３，１４に相当する三つの突起部材をシャッタ地板１に設けることが必須であるし、予め、シャッタ地板１と補助地板３のいずれを撮影者側にして組み付けてもよいように製作しておくためには、シャッタ地板１と補助地板３の両方に三つずつ突起部材を設けておく必要がある。また、そうすることによって、実施例の作動説明中でも述べたように、被写体側に配置された地板（実施例の場合はシャッタ地板１）の開口部の縁に対する当接も、必然的に無くすことができることになる。
【００４５】
また、本発明は、実施例のように、突起部材を別部材として製作し、地板に対して固定するようにした構成には限定されず、球面状凸部を地板の表面に形成しても差し支えない。そのため、地板が金属製の場合には、打ち出し加工によって球面凸部を形成してもよいし、既に述べたように、合成樹脂材料によって地板を製作する場合には、一体成形によって形成しても差し支えない。また、それらの凸部は球面状に限定されず、アームがスムースに乗り上げられる形状であればよく、例えば蒲鉾状であっても差し支えない。
【００４６】
更に、上記の実施例は、二つのシャッタ羽根を備えたフォーカルプレンシャッタの場合であるが、既に説明したように、本発明は、シャッタ羽根を一つだけ備えたフォーカルプレンシャッタにも適用することができる。その場合の構成例の一つとしては、上記の実施例において、中間板２と、図示していない後羽根及びその駆動機構とを取り除いた態様が考えられる。そして、それをノーマルオープン方式とした場合には、具体的な説明をするまでもなく、図６に示された状態が撮影開始前と撮影中の状態であり、図１に示された状態が撮影終了直後の状態ということになる。また、シャッタ羽根を一つ備えている場合でも二つ備えている場合でも、各シャッタ羽根は、複数のアームに羽根を１枚だけしか枢支していない場合があるが、本発明においては、その場合の羽根も、各アームの最も先端側の羽根ということになる。
【００４７】
【発明の効果】
以上のように、本発明は、複数のアームに対し各々連結軸を用いて少なくとも１枚の羽根を枢支した、少なくとも一つのシャッタ羽根を備えているカメラ用フォーカルプレンシャッタにおいて、撮影者側に配置された地板の羽根室側の面に、金属メッキされた凸部を設けておき、アームの先端側の羽根の枢支用連結軸が、上記の地板の開口部内を移動しその縁に達する前に、そのアームが上記の凸部に乗り上げ、被写体側に作動軌跡をそらされるようにしたから、アームと凸部との当接・摺接によって磨耗紛を発生させることがない。また、上記の枢支用連結軸の頭部がアームから撮像素子側に突き出ているにもかかわらず、その頭部が、開口部の縁に当接しないから、従来のように当接して磨耗紛を発生させることもない。そのため、撮像素子やフィルムの直前で磨耗紛を発生させてしまい、それらに付着させてしまうような事態は生じない。
【図面の簡単な説明】
【図１】被写体側から見た実施例の平面図であって、先羽根のセット状態を示したものである。
【図２】図１と同様にして見た実施例の平面図であって、先羽根の露光作動における前半の途中の状態を示したものである
【図３】図２の要部断面図である。
【図４】図１と同様にして見た実施例の平面図であって、先羽根の露光作動における後半の途中の状態を示したものである。
【図５】図１と同様にして見た実施例の平面図であって、先羽根の露光作動の最終段階の状態を示したものである。
【図６】図１と同様にして見た実施例の平面図であって、先羽根の露光作動の終了直後の状態を示したものである。
【符号の説明】
１　　　　　　　　　　　　　　シャッタ地板
１ａ，２ａ，３ａ　　　　　　　開口部
１ｂ，１ｃ　　　　　　　　　　長孔
１ｄ，１ｅ，１ｆ，１ｇ　　　　軸
２　　　　　　　　　　　　　　中間板
３　　　　　　　　　　　　　　補助地板
４，５　　　　　　　　　　　　アーム
４ａ　　　　　　　　　　　　　孔
６，７，８，９，１０　　　　　羽根
１１　　　　　　　　　　　　　連結軸
１２，１３，１４　　　　　　　突起部材
【図１】
2004085941.tif 000003
【図２】
2004085941.tif 000004
【図３】
2004085941.tif 000005
【図４】
2004085941.tif 000006
【図５】
2004085941.tif 000007
【図６】
2004085941.tif 000008